(57)【要約】【課題】無線通信におけるスループットを向上させる基地局装置、無線通信システム及び基地局装置制御方法を提供する。【解決手段】係数算出部１５３は、特定の無線リソースにおいて所定信号が送信されるか否かを基に、所定信号の検出機能を有する１つ又は複数の第１端末装置及び検出機能を有さない１つ又は複数の第２端末装置に対する、特定の無線リソースを割り当てるそれぞれの優先度を設定する。リソース割当部１５１は、係数算出部１５３により設定された優先度に基づいて、特定の無線リソースを第１端末装置又は第２端末装置のうちのいずれかに属する端末装置に割り当てる。無線処理部１１は、特定の無線リソースを用いて、リソース割当部１５１により特定の無線リソースが割り当てられた端末装置と通信を行う。【選択図】図３
2018011189.tif 000002
【特許請求の範囲】
【請求項１】
特定の無線リソースにおいて所定信号が送信されるか否かを基に、前記所定信号の検出機能を有する１つ又は複数の第１端末装置及び前記検出機能を有さない１つ又は複数の第２端末装置に対する、前記特定の無線リソースを割り当てるそれぞれの優先度を設定する優先度設定部と、
前記優先度設定部により設定された優先度に基づいて、前記特定の無線リソースを前記第１端末装置又は前記第２端末装置のうちのいずれかに属する端末装置に割り当てるリソース割当部と、
前記特定の無線リソースを用いて、前記リソース割当部により前記特定の無線リソースが割り当てられた前記端末装置と通信を行う通信部と
を備えたことを特徴とする基地局装置。
【請求項２】
前記優先度設定部は、前記所定信号が送信される無線リソースの場合、前記第１端末装置の優先度を前記第２端末装置の優先度に比べて高くし、前記所定信号が送信されない無線リソースの場合、前記第１端末装置の優先度を前記第２端末装置の優先度に比べて低くすることを特徴とする請求項１に記載の基地局装置。
【請求項３】
前記優先度設定部は、前記第１端末装置の数と前記第２端末装置の数との比を基に、前記優先度を設定することを特徴とする請求項１又は２に記載の基地局装置。
【請求項４】
前記優先度設定部は、前記所定信号の送信間隔に基づいて、前記優先度を設定することを特徴とする請求項１又は２に記載の基地局装置。
【請求項５】
前記優先度設定部は、前記第２端末装置の受信品質に基づいて、前記優先度を設定することを特徴とする請求項１又は２に記載の基地局装置。
【請求項６】
所定信号の検出機能を有する１つ又は複数の第１端末装置、前記検出機能を有さない１つ又は複数の第２端末装置及び基地局装置を有する無線通信システムであって、
前記基地局装置は、
特定の無線リソースにおいて前記所定信号が送信されるか否かを基に、前記第１端末装置及び前記第２端末装置に対する前記特定の無線リソースを割り当てるそれぞれの優先度を設定する優先度設定部と、
前記優先度設定部により設定された優先度に基づいて、前記無線リソースを前記第１端末装置又は前記第２端末装置のいずれかの端末装置に割り当てるリソース割当部と、
前記無線リソースを用いて、前記リソース割当部により前記無線リソースが割り当てられた前記端末装置と通信を行う通信部とを備えた
ことを特徴とする無線通信システム。
【請求項７】
基地局装置に、
特定の無線リソースにおいて所定信号が送信されるか否かを基に、前記所定信号の検出機能を有する１つ又は複数の第１端末装置及び前記検出機能を有さない１つ又は複数の第２端末装置に対する、前記特定の無線リソースを割り当てるそれぞれの優先度を設定させ、
設定した優先度に基づいて、前記無線リソースを前記第１端末装置又は前記第２端末装置のいずれかの端末装置に割り当てさせ、
割り当てた無線リソースを用いて、前記無線リソースが割り当てられた前記端末装置と通信を行わせる
ことを特徴とする基地局装置制御方法。
【発明の詳細な説明】
【技術分野】
【０００１】
本発明は、基地局装置、無線通信システム及び基地局装置制御方法に関する。
【背景技術】
【０００２】
近年、３ＧＰＰ（Third Generation  Partnership  Project）  ＴＳＧ（Technical  Specification  Group）  ＲＡＮ（Radio  Access  Network）  Ｒｅｌ（Release）．１０にて、ＣＳＩ−ＲＳ（Channel  State  Information-Reference  Signal）が規定された。ＣＳＩ−ＲＳとは、下記の特徴を有するリファレンスシグナルであり、所定のリソースブロックにマッピングされる。
【０００３】
ＣＳＩ−ＲＳは、最大４アンテナ送信が可能なＣｅｌｌ−ｓｐｅｃｉｆｉｃ  ＲＳの拡張であり、最大８アンテナ送信が可能である。また、ＣＳＩ−ＲＳは、チャネル状態情報であるＣＳＩ（ＣＱＩ（Channel  Quality  Indicator）／ＰＭＩ（Processing  Matrix  Indicator）／ＲＩ（Rank  Indicator））測定用のＲＳであり、５〜８ｍｓに一度送信され、チャネル推定には用いられない。また、ＣＳＩ−ＲＳは、アンテナポートあたり時間方向に連続した２ＲＥ（Resource  Element）が割り当てられ、ビームフォーミングは適用されない。ＣＳＩ−ＲＳは、あるサブフレームにおいて、以下の条件が満たされる場合、端末装置は、ＣＳＩ−ＲＳが送信されないとみなす。その条件の一つが、そのサブフレームが、ｆｒａｍｅ  ｓｔｒｕｃｔｕｒｅ  ｔｙｐｅ２の場合のスペシャルサブフレームである場合である。また、他の一つが、ＣＳＩ−ＲＳとＳＩＢ（System  Information  Block）とが衝突する場合である。また、他の一つが、そのサブフレームがＰ（Primary）セルにおいてｐａｎｇｉｎｇ  ｍｅｓｓａｇｅが送信されるように設定されているサブフレームであって、そのＰセルにおいて固有なｐａｎｇｉｎｇの設定が為されている場合である。また、他の一つが、そのサブフレームが、ＰＳＳ（Primary  Synchronization  Signal）／ＳＳＳ（Sub  Synchronization  Signal）／ＰＢＣＨ（Physical  Broadcast  Channel）とＣＳＩ−ＲＳ送信リソースとが衝突するサブフレームの場合である。
【０００４】
ここで、ＵＥ（User  Equipment）−ＲＳとは異なり、ＣＳＩ−ＲＳが送信されるサブフレームでは、ＣＳＩ−ＲＳは全リソースブロックで送信される。そして、標準化においては、端末装置によりＣＳＩ−ＲＳの送信に使用されないと認識されるリソースエレメントにはＰＤＳＣＨをマッピングしないと定義されている。これは下記のように、端末装置のカテゴリに応じてＣＳＩ−ＲＳがマッピングされたリソースエレメントに対するＰＤＳＣＨ（Physical  Downlink  Shared  Channel）のマッピング方法が変わることを意味する。
【０００５】
ＣＳＩ−ＲＳのマッピング位置を読み解くことのできる端末装置に対して割り当てられるリソースブロックでは、ＣＳＩ−ＲＳのマッピングされるリソースエレメントにＰＤＳＣＨを割り当てない。この場合、ＰＤＳＣＨの割り当ては、レートマッチングなどで調整する。以下では、ＣＳＩ−ＲＳのマッピング位置を読み解くことのできる端末装置を、「ＣＳＩ−ＲＳ対応端末」と呼び、ＣＳＩ−ＲＳのマッピング位置を読み解くことのできない端末装置を、「ＣＳＩ−ＲＳ非対応端末」と呼ぶ。
【０００６】
一方、ＣＳＩ−ＲＳ非対応端末に対して割り当てられるリソースブロックに対しては、標準化において特に規定が無い。そこで、ＣＳＩ−ＲＳ非端末装置においても、ＣＳＩ−ＲＳ対応端末と同様にＣＳＩ−ＲＳマッピングされるリソースエレメントにＰＤＳＣＨをマッピングしない方法が用いられる。又は、ＰＤＳＣＨのマッピングされるリソースエレメントをパンクチャし、ＣＳＩ−ＲＳをマッピングする方法が用いられる。
【０００７】
なお、無線通信システムの通信技術として、協調マルチポイント通信を行う際に、端末装置から通知された無線リソースの割当候補の優先度を用いてスケジューリングを行うことで、計算負荷を抑制しつつ、スループットを向上させる従来技術がある。また、ＣＳＩ−ＲＳを用いた通信技術として、協調マルチポイント通信を行う際に、ＰＤＳＣＨのリソースエレメントマッピングを端末装置に通知して通信を行う従来技術がある。
【先行技術文献】
【特許文献】
【０００８】
【特許文献１】特開２０１３−１１０６７１号公報
【特許文献２】特開２０１５−９２６７３号公報
【発明の概要】
【発明が解決しようとする課題】
【０００９】
しかしながら、上述したようにＣＳＩ−ＲＳ対応端末は、ＣＳＩ−ＲＳの送信の有無を判定することが困難である。そのため、ＣＳＩ−ＲＳを送信するサブフレームにおいては、本来ＰＤＳＣＨの割り当てが可能なリソースエレメントにＣＳＩ−ＲＳが上書きされることになり、スループットの劣化を招くおそれがある。
【００１０】
また、端末装置から通知された無線リソースの割当候補の優先度を用いてスケジューリングを行う従来技術を用いても、ＰＤＳＣＨが割り当て可能なリソースエレメントにＣＳＩ−ＲＳが上書きされる可能性があり、スループットを向上させることは困難である。また、ＰＤＳＣＨのリソースエレメントマッピングを通知する従来技術を用いても、ＰＤＳＣＨが割り当て可能なリソースエレメントにＣＳＩ−ＲＳが上書きされる可能性があり、スループットを向上させることは困難である。
【００１１】
開示の技術は、上記に鑑みてなされたものであって、無線通信におけるスループットを向上させる基地局装置、無線通信システム及び基地局装置制御方法を提供することを目的とする。
【課題を解決するための手段】
【００１２】
本願の開示する基地局装置、無線通信システム及び基地局装置制御方法の一つの態様において、優先度設定部は、特定の無線リソースにおいて所定信号が送信されるか否かを基に、前記所定信号の検出機能を有する１つ又は複数の第１端末装置及び前記検出機能を有さない１つ又は複数の第２端末装置に対する、特定の無線リソースを割り当てるそれぞれの優先度を設定する。リソース割当部は、前記優先度設定部により設定された優先度に基づいて、前記特定の無線リソースを前記第１端末装置又は前記第２端末装置のうちのいずれかに属する端末装置に割り当てる。通信部は、前記特定の無線リソースを用いて、前記リソース割当部により前記特定の無線リソースが割り当てられた前記端末装置と通信を行う。
【発明の効果】
【００１３】
本願の開示する基地局装置、無線通信システム及び基地局装置制御方法の一つの態様によれば、無線通信におけるスループットを向上させることができるという効果を奏する。
【図面の簡単な説明】
【００１４】
【図１】図１は、無線通信システムの全体構成の一例を示す構成図である。
【図２】図２は、基地局装置のブロック図である。
【図３】図３は、リソーススケジューラのブロック図である。
【図４】図４は、実施例１に係る基地局装置におけるＣＳＩ−ＲＳ非対応端末装置に対する重み係数の変化を表す図である。
【図５】図５は、リソーススケジューラによる無線リソースへの端末装置の割り当てのフローチャートである。
【図６】図６は、ＣＳＩ−ＲＳ送信インターバルの設定情報の図である。
【図７】図７は、ＣＳＩ−ＲＳ送信インターバルに応じたａ及びｂの値を表す図である。
【図８】図８は、実施例２に係る基地局装置におけるＣＳＩ−ＲＳ非対応端末装置に対する重み係数の変化を表す図である。
【図９】図９は、実施例２に係る無線リソースの端末装置への割り当ての状態を説明するための図である。
【図１０】図１０は、実施例３に係る基地局装置におけるＢＬＥＲ対する重み係数の変化を表す図である。
【図１１】図１１は、基地局装置のハードウェア構成図である。
【発明を実施するための形態】
【００１５】
以下に、本願の開示する基地局装置、無線通信システム及び基地局装置制御方法の実施例を図面に基づいて詳細に説明する。なお、以下の実施例により本願の開示する基地局装置、無線通信システム及び基地局装置制御方法が限定されるものではない。
【実施例１】
【００１６】
図１は、無線通信システムの全体構成の一例を示す構成図である。図１に示すように、本実施例に係る無線通信システム１０は、基地局装置１及び２、端末装置３及び４、並びに、コアネットワーク５を有する。
【００１７】
コアネットワーク５は、例えば、ＭＭＥ（Mobility  Management  Entity）及びＳ−ＧＷ（Serving  Gateway）などを有する。コアネットワーク５に配置されるＭＭＥ及びＳ−ＧＷは、基地局装置１及び２とｓ１インタフェースで接続される。
【００１８】
基地局装置１及び２は、コアネットワーク５とｓ１インタフェースで接続される。さらに、ここでは、基地局装置１は、端末装置３と無線通信を行う。また、基地局装置２は、端末装置４と無線通信を行う。以下では、基地局装置１と通信を行う端末装置３が複数ある場合もまとめて端末装置３と表す。
【００１９】
基地局装置１は、端末装置３から送信された端末装置４宛ての信号を、例えば、コアネットワーク５及び基地局装置２を経由させて、端末装置４へ送信する。また、基地局装置１は、ＣＳＩ−ＲＳがマッピングされた信号を端末装置３へ送信する。さらに、基地局装置１は、端末装置４が送信した端末装置３宛てのデータを、基地局装置２及びコアネットワーク５を介して受信し、ＰＤＳＣＨを用いて端末装置３へ送信する。
【００２０】
また、基地局装置１と基地局装置２とは、それぞれｘ２インタフェースで接続される。そして、基地局装置１と基地局装置２とは、ｘ２インタフェースを介して通信可能である。
【００２１】
次に、図２を参照して、基地局装置１について詳細に説明する。図２は、基地局装置のブロック図である。図２に示すように、基地局装置１は、無線処理部１１、ベースバンド処理部１２、ネットワークＩＦ（Interface）部１３、リソーススケジューラ１５及びアンテナ１６を有する。本実施例では、基地局装置１は、アンテナ１６を複数有する。
【００２２】
ネットワークＩＦ部１３は、コアネットワーク５及び基地局装置２との間の通信におけるインタフェースである。図２では、コアネットワーク５との接続を例に図示する。ネットワークＩＦ部１３は、端末装置４から送信された信号をコアネットワーク５から受信する。そして、ネットワークＩＦ部１３は、受信した信号をベースバンド処理部１２へ出力する。
【００２３】
また、ネットワークＩＦ部１３は、端末装置３から送信された信号をベースバンド処理部１２から受信する。そして、ネットワークＩＦ部１３は、取得した信号をコアネットワーク５へ送信する。
【００２４】
ベースバンド処理部１２は、無線処理部１１又はネットワークＩＦ部１３から入力されたベースバンド信号に対する信号処理を行う。ベースバンド処理部１２は、例えば、符号化部１２１、ＭＡＣ（Media  Access  Control）多重ＨＡＲＱ（Hybrid  Automatic  Repeat  Request）部１２２、ＲＬＣ（Radio  Link  Control）バッファ１２３を有する。また、ベースバンド処理部１２は、復号化部１２４及びＭＡＣ分離部１２５を有する。
【００２５】
ＲＬＣバッファ１２３は、端末装置３に送信するためのデータが一時的に蓄積される。ＲＬＣバッファ１２３は、バッファ内に送信するデータが蓄積されると、リソーススケジューラ１５に通知する。
【００２６】
ＭＡＣ多重ＨＡＲＱ部１２２は、端末装置３などといったデータの送信先の情報をリソーススケジューラ１５から受ける。そして、ＭＡＣ多重ＨＡＲＱ部１２２は、指定された送信先へ送信するデータをＲＬＣバッファ１２３から取得する。そして、ＭＡＣ多重ＨＡＲＱ部１２２は、ＭＡＣ多重処理を取得したデータに施す。さらに、ＭＡＣ多重ＨＡＲＱ部１２２は、ＨＡＲＱ方式にしたがって送信処理を施す。その後、ＭＡＣ多重ＨＡＲＱ部１２２は、データを符号化部１２１へ出力する。
【００２７】
符号化部１２１は、端末装置３へ送信するデータの入力をＭＡＣ多重ＨＡＲＱ部１２２から受ける。また、符号化部１２１は、符号化率の入力をリソーススケジューラ１５から受ける。そして、符号化部１２１は、取得したデータに符号化処理を施す。その後、符号化部１２１は、データを無線処理部１１の変調部１１３へ出力する。
【００２８】
復号化部１２４は、無線処理部１１の復調部１１４から端末装置３から送信された信号の入力を受ける。そして、復号化部１２４は、取得した信号に復号化処理を施す。その後、復号化部１２４は、データをＭＡＣ分離部１２５へ出力する。
【００２９】
ＭＡＣ分離部１２５は、復号化部１２４からデータの入力を受ける。そして、ＭＡＣ分離部１２５は、取得したデータにＭＡＣ分離処理を施し、端末装置４へ送信する信号を生成する。その後、ＭＡＣ分離部１２５は、ネットワークＩＦ部１３及びコアネットワーク５を介して、端末装置４へ信号を送信する。
【００３０】
無線処理部１１は、リソースマッピング部１１１、プリコーディング部１１２、変調部１１３及び復調部１１４を有する。この無線処理部１１が、「通信部」の一例にあたる。
【００３１】
変調部１１３は、ベースバンド処理部１２の符号化部１２１からデータの入力を受ける。さらに、変調部１１３は、データ変調方式の入力をリソーススケジューラ１５から受ける。そして、変調部１１３は、取得した信号に対してＩＦＦＴ（Inverse  Fast  Fourier  Transform）などを行い、データを変調する。そして、変調部１１３は、変調して作成した信号をプリコーディング部１１２へ出力する。
【００３２】
プリコーディング部１１２は、プリコーディング行列を特定する情報をリソーススケジューラ１５から取得する。例えば、プリコーディング部１１２は、無線リソースに対して用いることが決定されたＰＭＩ（Precoding  Matrix  Indicator）をリソーススケジューラ１５から受ける。そして、プリコーディング部１１２は、取得したＰＭＩを用いてプリコーディング行列を特定する。
【００３３】
プリコーディング部１１２は、リソーススケジューラ１５により下りリンク通信の無線リソースが割り当てられた端末装置３へ送信する信号の入力を変調部１１３から受ける。そして、プリコーディング部１１２は、取得した信号に指定されたプリコーディング行列を乗算する。また、プリコーディング部１１２は、ＣＳＩ−ＲＳを送信する場合、そのＣＳＩ−ＲＳに対してもプリコーディング行列を乗算する。その後、プリコーディング部１１２は、プリコーディング行列を乗算して得られた信号をリソースマッピング部１１１へ出力する。
【００３４】
リソースマッピング部１１１は、ＰＤＳＣＨで送信される下りデータ及びＰＤＣＣＨ（Physical  Downlink  Control  Channel）などの下り制御信号のマッピング情報の入力をリソーススケジューラ１５から受ける。また、リソースマッピング部１１１は、ＣＲＳ（Common  Reference  Signal）又はＣＳＩ−ＲＳなどの参照信号のマッピング情報の入力をリソーススケジューラ１５から受ける。
【００３５】
そして、リソースマッピング部１１１は、リソーススケジューラ１５から指示されたマッピングにしたがい、無線リソースに各種信号をマッピングする。そして、リソースマッピング部１１１は、信号をマッピングした無線リソースを用いてアンテナ１６を介して、端末装置３へ信号を送信する。
【００３６】
また、復調部１１４は、端末装置３が送信した信号をアンテナ１６を介して受信する。そして、復調部１１４は、取得した信号に対してＦＦＴ（Fast  Fourier  Transform）などを行い、信号を復調する。そして、復調部１１４、信号を復調して作成したデータをベースバンド処理部１２の復号化部１２４へ出力する。
【００３７】
呼制御部１４は、端末装置３から送信された呼接続要求をベースバンド処理部１２から取得する。そして、呼制御部１４は、ベースバンド処理部１２を制御し呼接続の手続きを行わせる。そして、呼制御部１４は、端末装置３毎の呼接続の状態を管理する。その後、呼制御部１４は、端末装置３又は４から送信された呼切断要求をベースバンド処理部１２から取得する。そして、呼制御部１４は、端末装置３の呼を切断する手続きをベースバンド処理部１２に行わせる。
【００３８】
リソーススケジューラ１５は、操作者からの入力などによりＣＳＩ−ＲＳのインターバルの指定を予め取得する。また、リソーススケジューラ１５は、スケジューリング係数の計算式を予め有する。また、リソーススケジューラ１５は、自装置が収容する端末装置３の中の、ＣＳＩ−ＲＳの送信を検出する機能を有する端末装置３、すなわちＬＴＥ（Long  Term  Evolution）  Ｒｅｌ（Release）．１０対応の端末装置３であるＣＳＩ−ＲＳ対応端末装置の数を有する。また、リソーススケジューラ１５は、自装置が収容する端末装置３の中の、ＣＳＩ−ＲＳの送信を検出する機能を有さない端末装置３、すなわちＬＴＥ  Ｒｅｌ．８又は９対応の端末装置３であるＣＳＩ−ＲＳ非対応端末装置の数を有する。このＣＳＩ−ＲＳが、「所定信号」の一例にあたる。このＣＳＩ−ＲＳ対応端末装置が、「第１端末装置」の一例にあたる。また、ＣＳＩ−ＲＳ非対応端末装置が、「第２端末装置」の一例にあたる。
【００３９】
リソーススケジューラ１５は、ＣＳＩ−ＲＳ対応端末装置の数及びＣＳＩ−ＲＳ非対応端末装置の数を用いて、自装置が収容する各端末装置３のスケジューリング係数を求める。そして、リソーススケジューラ１５は、例えば、求めたスケジューリング係数の大きい順にそのサブフレームにおける無線リソースを割り当てる端末装置３を決定する。ここで、本実施例では、リソーススケジューラ１５は、スケジューリング係数の大きい順に無線リソースの割り当てを行ったが、無線リソースを割り当てる端末装置３の選択方法はこれに限らない。
【００４０】
さらに、リソーススケジューラ１５は、選択した端末装置３に対するデータ変調方式及びチャネル符号化率などの伝送フォーマット、並びに、リソースブロックを決定する。
【００４１】
その後、リソーススケジューラ１５は、無線リソースを割り当てる端末装置３の情報、伝送フォーマット、リソースブロック及びデータの情報をベースバンド処理部１２へ通知する。また、リソーススケジューラ１５は、無線リソースを割り当てる端末装置３の情報、ＰＤＳＣＨで送信される下りデータ及びＰＤＣＣＨなどの下り制御信号のマッピング情報、ＣＲＳ又はＣＳＩ−ＲＳなどの参照信号のマッピング情報、並びに、プリコーディング行列の情報を無線処理部１１へ送信する。
【００４２】
次に、図３を参照して、リソーススケジューラ１５の無線リソースを割り当てる端末装置３の選択機能についてさらに詳細に説明する。図３は、リソーススケジューラのブロック図である。図３に示すように、本実施例に係るリソーススケジューラ１５は、リソース割当部１５１、重み算出部１５２及び係数算出部１５３を有する。
【００４３】
リソース割当部１５１は、ＣＳＩ−ＲＳのインターバルの情報を有する。そして、リソース割当部１５１は、サブフレーム毎に無線リソースの決定の処理を開始する。リソース割当部１５１は、無線リソースの割り当てを行うサブフレームがＣＳＩ−ＲＳを送信するサブフレームか否かを判定する。そして、判定結果を重み算出部１５２に通知する。また、リソース割当部１５１は、スケジューリング係数の算出を係数算出部１５３に指示する。
【００４４】
その後、リソース割当部１５１は、自装置が収容する各端末装置３のスケジューリング係数の入力を係数算出部１５３から受ける。そして、リソース割当部１５１は、取得したスケジューリング係数の大きい順に割り当て可能な無線リソースの数の端末装置３を選択する。さらに、リソース割当部１５１は、無線リソースを割り当てた端末装置３について、伝送フォーマット及びリソースブロックを選択する。そして、リソース割当部１５１は、無線処理部１１及びベースバンド処理部１２に通知する。
【００４５】
重み算出部１５２は、ＣＳＩ−ＲＳを送信するサブフレームの場合のＣＳＩ−ＲＳ非対応端末装置に対する重み係数であるαを求める式を予め記憶する。また、重み算出部１５２は、ＣＳＩ−ＲＳを送信しないサブフレームの場合のＣＳＩ−ＲＳ非対応端末装置に対する重み係数であるβを求める式を予め記憶する。
【００４６】
例えば、本実施例では、重み算出部１５２は、α及びβを求める式として、以下の（数式１）を記憶する。
【００４７】
【数１】
2018011189.tif 000003
【００４８】
ここで、ｎＡは、自装置が収容するＣＳＩ−ＲＳ対応端末装置の数である。また、ｎＢは、自装置が収容するＣＳＩ−ＲＳ非対応端末装置の数である。また、ｋは、比例係数であり、例えば、コンピュータシミュレーションなどで決定される。
【００４９】
そして、重み算出部１５２は、サブフレーム毎に、そのサブフレームがＣＳＩ−ＲＳを送信するサブフレームか否かの情報の入力をリソース割当部１５１から受ける。さらに、重み算出部１５２は、自装置が収容するＣＳＩ−ＲＳ対応端末装置の数及び自装置が収容するＣＳＩ−ＲＳ非対応端末装置の数を呼制御部１４から取得する。
【００５０】
そして、重み算出部１５２は、無線リソースを割り当てるサブフレームがＣＳＩ−ＲＳを送信するサブフレームの場合、αを算出する。そして、重み算出部１５２は、ＣＳＩ−ＲＳ非対応端末装置に対する重み係数として算出したαの値を係数算出部１５３へ送信する。また、無線リソースを割り当てるサブフレームがＣＳＩ−ＲＳを送信するサブフレームの場合、βを算出する。そして、重み算出部１５２は、ＣＳＩ−ＲＳ非対応端末装置に対する重み係数として算出したβの値を係数算出部１５３へ送信する。
【００５１】
ここで、図４を参照して、端末装置数比率とα及びβの関係について説明する。図４は、実施例１に係る基地局装置におけるＣＳＩ−ＲＳ非対応端末装置に対する重み係数の変化を表す図である。この場合、ｋ＝０．１である。図４は縦軸でα及びβの値を表し、横軸で端末装置数数比率を表す。端末装置数比率は、ＣＳＩ−ＲＳ対応端末装置の数ｎＡを、ＣＳＩ−ＲＳ非対応端末装置の数ｎＢで除算した値である。以下では、無線リソースの割り当てを行う対象とするサブフレームを「対象サブフレーム」という場合がある。
【００５２】
対象サブフレームがＣＳＩ−ＲＳを送信するサブフレームの場合には、対象サブフレームの無線リソースをＣＳＩ−ＲＳ非対応端末装置に割り当てた場合、そのＣＳＩ−ＲＳ非対応端末装置の通信が劣化する。そのため、ＣＳＩ−ＲＳを送信するサブフレームの無線リソースのＣＳＩ−ＲＳ非対応端末装置への割り当ては、抑制されることが好ましい。
【００５３】
ＣＳＩ−ＲＳ非対応端末装置の数が、ＣＳＩ−ＲＳ対応端末装置の数に比べて非常に少ない場合、対象サブフレームの無線リソースがＣＳＩ−ＲＳ非対応端末装置に割り当てられる確率は小さい。そこで、ＣＳＩ−ＲＳ非対応端末装置の数が、ＣＳＩ−ＲＳ対応端末装置の数に比べて非常に少ない場合は、ＣＳＩ−ＲＳ非対応端末装置のスケジューリング係数に対する重みによる調整の影響を少なくすることが好ましい。これは、対象サブフレームがＣＳＩ−ＲＳを送信するサブフレームであっても、ＣＳＩ−ＲＳを送信しないサブフレームのいずれであっても同じである。すなわち、ＣＳＩ−ＲＳ非対応端末装置の数が、ＣＳＩ−ＲＳ対応端末装置の数に比べて非常に少ない場合、α及びβともに１に近いことが好ましい。
【００５４】
これに対して、ＣＳＩ−ＲＳ非対応端末装置の数が、ＣＳＩ−ＲＳ対応端末装置の数に比べて大きくなるにしたがい、対象サブフレームがＣＳＩ−ＲＳ非対応端末装置に割り当てられる確率が大きくなる。すなわち、対象サブフレームがＣＳＩ−ＲＳを送信するサブフレームの場合、ＣＳＩ−ＲＳ非対応端末装置がＣＳＩ−ＲＳ対応端末装置に比べて多くなるにしたがい、ＣＳＩ−ＲＳ非対応端末装置に対象サブフレームが割当たり難くなくなることが好ましい。また、対象サブフレームがＣＳＩ−ＲＳを送信するサブフレームでない場合、ＣＳＩ−ＲＳ非対応端末装置がＣＳＩ−ＲＳ対応端末装置に比べて多くなるにしたがい、ＣＳＩ−ＲＳ非対応端末装置に対象サブフレームが割当たり易くなくなることが好ましい。すなわち、ＣＳＩ−ＲＳ非対応端末装置の数が、ＣＳＩ−ＲＳ対応端末装置の数に比べて大きくなるにしたがい、αは０に近づくことが好ましく、βは大きくなり１から離れることが好ましい。
【００５５】
この点、上述のようにα及びβを（数式１）で表される値とした場合、端末装置数比率に対してα及びβは図４に示す関係を有する。端末装置数比率が増加することは、ＣＳＩ−ＲＳ非対応端末装置の数が、ＣＳＩ−ＲＳ対応端末装置の数に比べて小さくなることを表す。逆に、端末装置数比率が減少することは、ＣＳＩ−ＲＳ非対応端末装置の数が、ＣＳＩ−ＲＳ対応端末装置の数に比べて大きくなることを表す。すなわち、ＣＳＩ−ＲＳ非対応端末装置の割合に応じたαの変化は、グラフ２０１で表される、また、ＣＳＩ−ＲＳ非対応端末装置の割合に応じたβの変化は、グラフ２０２で表される。そして、グラフ２０１及び２０２から、本実施例に係る重み算出部１５２が算出するα及びβは、上述した関係を満たすといえる。このように、本実施例に係る重み算出部１５２が算出するα及びβにより、ＣＳＩ−ＲＳ非対応端末装置のスケジューリング係数には適切な重みが与えられる。
【００５６】
係数算出部１５３は、スケジューリング係数であるＣｎの計算式を予め記憶する。例えば、係数算出部１５３は、スケジューリング係数であるＣｎの計算式として、各端末装置３の瞬時スループットをスループットの平均で除算し、バッファ滞留量及び再送回数などを乗算することでＣｎを算出する式を記憶する。例えば、係数算出部１５３が記憶する式は、「Ｃｎ＝Ｒｉｎｓｔ／Ｒａｖｅ×ｐ×ｑ×・・・」などと表される。ここで、Ｒｉｎｓｔは各端末装置３の瞬時スループットを表し、Ｒａｖｅは各端末装置３のスループットの所定期間における平均値を表し、ｐはバッファ滞留量を表し、ｑは再送回数を表す。スケジューリング係数であるＣｎは、特定の端末装置３に無線リソースの割り当てが偏らないように通信品質の良し悪しに依らずに公平性を保つように決定されることが好ましい。そのため、係数算出部１５３は、公平性を保つ値であれば他の値をスケジューリング係数であるＣｎの算出に用いてもよく、例えば、データの滞留時間などを用いてもよい。
【００５７】
係数算出部１５３は、スケジューリング係数の算出の指示をリソース割当部１５１から受ける。そして、係数算出部１５３は、バッファの滞留量やデータの滞留時間の情報をベースバンド処理部１２から取得する。さらに、係数算出部１５３は、サブフレーム毎にどの端末装置３へデータを送信させたかの情報をリソース割当部１５１から取得し、瞬時スループット及びスループットの所定時間における平均値を算出する。そして、係数算出部１５３は、自装置が収容する端末装置３毎のスケジューリング係数Ｃｎを算出する。
【００５８】
次に、係数算出部１５３は、ＣＳＩ−ＲＳ非対応端末装置に対する重み係数としてα又はβの値の入力を重み算出部１５２から受ける。そして、係数算出部１５３は、算出した各ＣＳＩ−ＲＳ非対応端末装置のスケジューリング係数ＣｎにＣＳＩ−ＲＳ非対応端末装置に対する重み係数を乗算して各ＣＳＩ−ＲＳ非対応端末装置のスケジューリング係数Ｃｎを再計算する。その後、係数算出部１５３は、算出した自装置が収容する各端末装置３のスケジューリング係数Ｃｎをリソース割当部１５１へ通知する。この重み算出部１５２及び係数算出部１５３が、「優先度設定部」の一例にあたる。そして、各端末装置３のスケジューリング係数Ｃｎが、「優先度」の一例にあたる。
【００５９】
ここで、図５を参照して、リソーススケジューラ１５による無線リソースへの端末装置３の割り当ての流れについて説明する。図５は、リソーススケジューラによる無線リソースへの端末装置の割り当てのフローチャートである。
【００６０】
サブフレーム毎に、係数算出部１５３は、自装置が収容する端末装置３毎のスケジューリング係数Ｃｎを算出する（ステップＳ１）。
【００６１】
次に、リソース割当部１５１は、無線リソースの割り当てを行うサブフレームがＣＳＩ−ＲＳを送信するサブフレームか否か、すなわちそのサブフレームにおいてＣＳＩ−ＲＳの送信を実施するか否かを判定する（ステップＳ２）。
【００６２】
ＣＳＩ−ＲＳを送信するサブフレームの場合（ステップＳ２：肯定）、リソース割当部１５１は、ＣＳＩ−ＲＳを送信するサブフレームである旨を、重み算出部１５２に通知する。重み算出部１５２は、リソース割当部１５１からの通知を受けて、ＣＳＩ−ＲＳを送信するサブフレームにおけるＣＳＩ−ＲＳ非対応端末装置の重み係数であるαを算出する（ステップＳ３）。次に、重み算出部１５２は、算出したＣＳＩ−ＲＳ非対応端末装置の重み係数αを係数算出部１５３に通知する。
【００６３】
これに対して、ＣＳＩ−ＲＳを送信するサブフレームでない場合（ステップＳ２：否定）、リソース割当部１５１は、ＣＳＩ−ＲＳを送信するサブフレームでない旨を、重み算出部１５２に通知する。重み算出部１５２は、リソース割当部１５１からの通知を受けて、ＣＳＩ−ＲＳを送信しないサブフレームにおけるＣＳＩ−ＲＳ非対応端末装置の重み係数であるβを算出する（ステップＳ４）。次に、重み算出部１５２は、算出したＣＳＩ−ＲＳ非対応端末装置の重み係数βを係数算出部１５３に通知する。
【００６４】
係数算出部１５３は、算出した各ＣＳＩ−ＲＳ非対応端末装置のスケジューリング係数ＣｎにＣＳＩ−ＲＳ非対応端末装置の重み係数を乗算し、算出した各ＣＳＩ−ＲＳ非対応端末装置のスケジューリング係数Ｃｎの再計算を行う（ステップＳ５）。次に、係数算出部１５３は、各端末装置３のスケジューリング係数Ｃｎをリソース割当部１５１に通知する。リソース割当部１５１は、係数算出部１５３から通知された各端末装置３のスケジューリング係数Ｃｎを用いて、無線リソースを割り当てる端末装置３を選択する（ステップＳ６）。
【００６５】
さらに、リソース割当部１５１は、伝送フォーマット及びリソースブロックを選択するＴＦＲ（Transport  Format  and  Resource）選択を行う（ステップＳ７）。その後、リソース割当部１５１は、無線リソースを割り当てる端末装置３、選択した伝送フォーマット及びリソースブロックなどの情報を無線処理部１１及びベースバンド処理部１２へ通知する。
【００６６】
以上に説明したように、本実施例に係る基地局装置は、ＣＳＩ−ＲＳ非対応端末装置の割合に応じてＣＳＩ−非対応端末装置のスケジューリング係数を変更し、無線リソースを割り当てる端末装置を決定する。これにより、ＣＳＩ−ＲＳ非端末装置に対するＣＳＩ−ＲＳを送信するサブフレームの無線リソースの割り当てを抑制することができ、ＣＳＩ−ＲＳ非端末装置の通信品質の劣化を軽減することができる。さらに、無線通信におけるスループットを向上させることができる。
【実施例２】
【００６７】
次に、実施例２について説明する。本実施例に係る基地局装置は、ＣＳＩ−ＲＳの送信インターバルを用いてＣＳＩ−ＲＳ非対応端末装置の重み係数を求める。本実施例に係る基地局装置及びリソーススケジューラも図２及び３で表される。以下の説明では、実施例１と同様の各部の動作については説明を省略する。
【００６８】
リソース割当部１５１は、ＣＳＩ−ＲＳ送信インターバルを予め有する。具体的には、リソース割当部１５１は、操作者から入力されたＣＳＩ−ＲＳのサブフレーム設定値から、ＣＳＩ−ＲＳ送信インターバルを求める。
【００６９】
ここで、図６は、ＣＳＩ−ＲＳ送信インターバルの設定情報の図である。ＣＳＩ−ＲＳ送信インターバル設定テーブル３０１に示すように、ＣＳＩ−ＲＳのサブフレーム設定値であるＩＣＳＩ−ＲＳに応じて、ＣＳＩ−ＲＳを送信するサブフレームの周期であるＴＣＳＩ−ＲＳが決定される。すなわち、リソース割当部１５１は、操作者から入力されたＣＳＩ−ＲＳのサブフレーム設定値であるＩＣＳＩ−ＲＳの入力を受けて、ＣＳＩ−ＲＳ送信インターバル設定テーブル３０１で示される対応関係からＣＳＩ−ＲＳを送信するサブフレームの周期であるＴＣＳＩ−ＲＳを求める。ここで、ＣＳＩ−ＲＳを送信するサブフレームの周期は、いくつのサブフレーム毎にＣＳＩ−ＲＳを送信するサブフレームが発生するかを表す。例えば、ＩＣＳＩ−ＲＳが０とされた場合、リソース割当部１５１は、ＣＳＩ−ＲＳの送信インターバルとして、５サブフレーム毎にＣＳＩ−ＲＳを送信するサブフレームを配置することを決定する。
【００７０】
そして、リソース割当部１５１は、無線リソースの割り当てを行うサブフレームがＣＳＩ−ＲＳを送信するサブフレームか否かの判定結果とともに、ＣＳＩ−ＲＳ送信インターバルの情報を重み算出部１５２に通知する。
【００７１】
重み算出部１５２は、ＣＳＩ−ＲＳ送信インターバルに応じた、ＣＳＩ−ＲＳを送信するサブフレームの場合のＣＳＩ−ＲＳ非対応端末装置に対する重み係数であるαを求める式を予め記憶する。また、重み算出部１５２は、ＣＳＩ−ＲＳ送信インターバルに応じた、ＣＳＩ−ＲＳを送信しないサブフレームの場合のＣＳＩ−ＲＳ非対応端末装置に対する重み係数であるβを求める式を予め記憶する。
【００７２】
例えば、本実施例では、重み算出部１５２は、α及びβを求める式として、以下の（数式２）を記憶する。
【００７３】
【数２】
2018011189.tif 000004
【００７４】
ここで、ａ及びｂは、ＣＳＩ−ＲＳの送信インターバルに応じた係数である。このａ及びｂは、例えば、以下のような方法で求められる。本実施例では、重み算出部１５２は、図７に示すようなテーブル３０２を有する。図７は、ＣＳＩ−ＲＳ送信インターバルに応じたａ及びｂの値を表す図である。ＣＳＩ−ＲＳ送信インターバルは、図６におけるＴＣＳＩ−ＲＳである。重み算出部１５１は、このテーブル３２０を用いてａ及びｂを決定する。例えば、ＣＳＩ−ＲＳ送信インターバルが５の場合、重み算出部１５２は、ａ＝１及びｂ＝４とする。
【００７５】
重み算出部１５２は、サブフレーム毎に、そのサブフレームがＣＳＩ−ＲＳを送信するサブフレームか否かの情報の入力をリソース割当部１５１から受ける。さらに、重み算出部１５２は、ＣＳＩ−ＲＳ送信インターバルの情報の入力をリソース割当部１５１から受ける。
【００７６】
そして、重み算出部１５２は、無線リソースを割り当てるサブフレームがＣＳＩ−ＲＳを送信するサブフレームの場合、αを算出する。そして、重み算出部１５２は、ＣＳＩ−ＲＳ非対応端末装置に対する重み係数として算出したαの値を係数算出部１５３へ送信する。また、無線リソースを割り当てるサブフレームがＣＳＩ−ＲＳを送信するサブフレームの場合、βを算出する。そして、重み算出部１５２は、ＣＳＩ−ＲＳ非対応端末装置に対する重み係数として算出したβの値を係数算出部１５３へ送信する。
【００７７】
ここで、図８を参照して、ＣＳＩ−ＲＳ送信インターバルとα及びβの関係について説明する。図８は、実施例２に係る基地局装置におけるＣＳＩ−ＲＳ非対応端末装置に対する重み係数の変化を表す図である。この場合、ｋ＝１である。図８は縦軸でα及びβの値を表し、横軸でＣＳＩ−ＲＳ送信インターバルを表す。
【００７８】
ＣＳＩ−ＲＳ送信インターバルが長い場合、ＣＳＩ−ＲＳを送信するサブフレームの無線リソースがＣＳＩ−ＲＳ非対応端末装置に割り当てられる確率は小さい。そこで、ＣＳＩ−ＲＳ送信インターバルが長い場合は、ＣＳＩ−ＲＳ非対応端末装置のスケジューリング係数に対する重みによる調整の影響を少なくすることが好ましい。これは、対象サブフレームがＣＳＩ−ＲＳを送信するサブフレームであっても、ＣＳＩ−ＲＳを送信しないサブフレームのいずれであっても同じである。すなわち、ＣＳＩ−ＲＳ送信インターバルが長い場合、α及びβともに１に近いことが好ましい。
【００７９】
これに対して、ＣＳＩ−ＲＳ送信インターバルが短くなるにしたがい、ＣＳＩ−ＲＳを送信するサブフレームがＣＳＩ−ＲＳ非対応端末装置に割り当てられる確率が大きくなる。すなわち、対象サブフレームがＣＳＩ−ＲＳを送信するサブフレームの場合、ＣＳＩ−ＲＳ送信インターバルが短くなるにしたがい、ＣＳＩ−ＲＳ非対応端末装置に対象サブフレームが割り当たり難くなくなることが好ましい。また、対象サブフレームがＣＳＩ−ＲＳを送信するサブフレームでない場合、ＣＳＩ−ＲＳ送信インターバルが短くなるにしたがい、ＣＳＩ−ＲＳ非対応端末装置に対象サブフレームが割り当たり易くなくなることが好ましい。すなわち、ＣＳＩ−ＲＳ送信インターバルが短くなるにしたがい、αは０に近づくことが好ましく、βは大きくなり１から離れることが好ましい。
【００８０】
上述のようにα及びβが（数式２）で表される値とした場合、ＣＳＩ−ＲＳ送信インターバルに対してα及びβは図８に示す関係を有する。すなわち、ＣＳＩ-ＲＳ送信インターバルに応じたαの変化は、グラフ２１１で表される、また、ＣＳＩ−ＲＳ送信インターバルに応じたβの変化は、グラフ２１２で表される。そして、グラフ２１１及び２１２から、本実施例に係る重み算出部１５２が算出するα及びβは、上述した関係を満たすといえる。このように、本実施例に係る重み算出部１５２が算出するα及びβにより、ＣＳＩ−ＲＳ非対応端末装置のスケジューリング係数には適切な重みが与えられる。
【００８１】
さらに、図９は、実施例２に係る無線リソースの端末装置への割り当ての状態を説明するための図である。図９では、サブフレームが並んでいる状態を表す。図９では、サブフレーム＃０〜＃１５が並んでいる。この場合に、ＩＣＳＩ−ＲＳが０である、すなわち、ＣＳＩ−ＲＳの送信インターバルとして、５サブフレーム毎にＣＳＩ−ＲＳを送信するサブフレームを配置するものとする。
【００８２】
そして、例えば、サブフレーム３１１〜３１４が、ＣＳＩ−ＲＳを送信するサブフレームとすると、サブフレーム３１１〜３１４には、ＣＳＩ−ＲＳ対応端末が優先的に割り当てられる。これに対して、サブフレーム３１１〜３１４以外のサブフレームには、ＣＳＩ−ＲＳ非対応端末が優先的に割り当てられる。
【００８３】
以上に説明したように、本実施例に係る基地局装置はＣＳＩ−ＲＳ送信インターバルに応じてＣＳＩ−ＲＳ非対応端末装置のスケジューリング係数を変更し、無線リソースを割り当てる端末装置を決定する。これにより、ＣＳＩ−ＲＳ非端末装置に対するＣＳＩ−ＲＳを送信するサブフレームの無線リソースの割り当てを抑制することができ、ＣＳＩ−ＲＳ非端末装置の通信品質の劣化を軽減することができる。さらに、無線通信におけるスループットを向上させることができる。
【実施例３】
【００８４】
次に、実施例３について説明する。本実施例に係る基地局装置は、ＣＳＩ−ＲＳ非対応端末装置の受信品質を用いてＣＳＩ−ＲＳ非対応端末装置の重み係数を求める。本実施例に係る基地局装置及びリソーススケジューラも図２及び３で表される。以下の説明では、実施例１と同様の各部の動作については説明を省略する。ここでは、受信品質としてＢＬＥＲ（Block  Error  Rate）を用いる場合で説明する。ＢＬＥＲとは、一定期間におけるトランスポートブロックの総数とエラーとなったトランスポートブロックの数の比である。
【００８５】
リソース割当部１５１は、端末装置３に割り当てたサブフレーム内のリソースブロックのＣＱＩ（Channel  Quality  Indicator）をベースバンド処理部１２から取得する。リソースブロックのＣＱＩは、そのリソースブロックが割り当てられた端末装置３からフィードバックされる。そして、リソース割当部１５１は、リソースブロックのＣＱＩを用いて、ＭＣＳ（Modulation  and  Coding  Scheme）選択を実施し、変調及び復号化方式の選択を行う。さらに、リソース割当部１５１は、フィードバックされたＣＱＩを補正することで、ＢＬＥＲがＢＬＥＲの目標値に近づくように制御する。
【００８６】
そして、リソース割当部１５１は、サブフレーム毎に、そのサブフレームがＣＳＩ−ＲＳを送信するサブフレームか否かの情報とともに、各端末装置３の最新のＢＬＥＲをそのサブフレームにおけるＢＬＥＲとして重み算出部１５２へ出力する。
【００８７】
重み算出部１５２は、ＣＳＩ−ＲＳ非対応端末装置の受信品質に応じた、ＣＳＩ−ＲＳを送信するサブフレームの場合のＣＳＩ−ＲＳ非対応端末装置に対する重み係数であるαを求める式を予め記憶する。また、重み算出部１５２は、ＣＳＩ−ＲＳ非対応端末装置の受信品質に応じた、ＣＳＩ−ＲＳを送信しないサブフレームの場合のＣＳＩ−ＲＳ非対応端末装置に対する重み係数であるβを求める式を予め記憶する。
【００８８】
例えば、本実施例では、重み算出部１５２は、α及びβを求める式を、ＢＬＥＲｉｎｓｔ＞ＢＬＥＲｔａｒｇｅｔの場合とＢＬＥＲｉｎｓｔ≦ＢＬＥＲｔａｒｇｅｔの場合とに分けた以下の（数式３）として記憶する。
【００８９】
【数３】
2018011189.tif 000005
【００９０】
ここで、ＢＬＥＲｉｎｓｔは、そのサブフレームにおけるＢＬＥＲである。また、ＢＬＥＲｔａｒｇｅｔは、ＢＬＥＲの目標値である。また、ｍは比例係数であり、例えば、コンピュータシミュレーションなどにより決定される。また、ｎは係数であり、例えば、コンピュータシミュレーションなどにより決定される。
【００９１】
そして、重み算出部１５２は、サブフレーム毎に、そのサブフレームがＣＳＩ−ＲＳを送信するサブフレームか否かの情報の入力をリソース割当部１５１から受ける。さらに、重み算出部１５２は、そのサブフレームにおけるＢＬＥＲとして、各端末装置３の最新のＢＬＥＲの入力をリソース割当部１５１から受ける。
【００９２】
重み算出部１５２は、無線リソースを割り当てるサブフレームがＣＳＩ−ＲＳを送信するサブフレームの場合、αを算出する。そして、重み算出部１５２は、αの値をＣＳＩ−ＲＳ非対応端末装置に対する重み係数として算出したαの値を係数算出部１５３へ送信する。また、無線リソースを割り当てるサブフレームがＣＳＩ−ＲＳを送信するサブフレームの場合、βを算出する。そして、重み算出部１５２は、ＣＳＩ−ＲＳ非対応端末装置に対する重み係数として算出したβの値を係数算出部１５３へ送信する。
【００９３】
ここで、図１０を参照して、ＢＬＥＲとα及びβの関係について説明する。図１０は、実施例３に係る基地局装置におけるＢＬＥＲ対する重み係数の変化を表す図である。この場合、ＢＬＥＲｔａｒｇｅｔ＝１、ｍ＝１及びｎ＝２である。図１０は縦軸でα及びβの値を表し、横軸でＢＬＥＲｉｎｓｔを表す。
【００９４】
ＢＬＥＲｉｎｓｔがＢＬＥＲｔａｒｇｅｔより低い場合、ＣＳＩ−ＲＳ非対応端末装置の受信品質は高い。そのため、ＣＳＩ−ＲＳを送信しないサブフレームの無線リソースをＣＳＩ−ＲＳ非対応端末装置に割り当てることで、十分な通信品質が得られる。そこで、ＢＬＥＲｉｎｓｔが低い場合は、ＣＳＩ−ＲＳ非対応端末装置のスケジューリング係数に対する重みによる調整の影響を少なくすることが好ましい。これは、対象サブフレームがＣＳＩ−ＲＳを送信するサブフレームであっても、ＣＳＩ−ＲＳを送信しないサブフレームのいずれであっても同じである。すなわち、ＢＬＥＲｉｎｓｔが低い場合、α及びβともに１に近いことが好ましい。
【００９５】
これに対して、ＢＬＥＲｉｎｓｔがＢＬＥＲｔａｒｇｅｔより高くなるにしたがい、ＣＳＩ−ＲＳ非対応端末装置の受信品質は低下する。この状態で、ＣＳＩ−ＲＳを送信するサブフレームをＣＳＩ−ＲＳ非対応端末装置に割り当てると、そのＣＳＩ−ＲＳ非対応端末装置の受信品質が一層悪化してしまう。一方、ＣＳＩ−ＲＳを送信しないサブフレームをＣＳＩ−ＲＳ非対応端末装置に割り当てると、そのＣＳＩ−ＲＳ非対応端末装置の受信品質が向上することが期待できる。
【００９６】
そこで、対象サブフレームがＣＳＩ−ＲＳを送信するサブフレームの場合、ＢＬＥＲｉｎｓｔがＢＬＥＲｔａｒｇｅｔより高くなるにしたがい、ＣＳＩ−ＲＳ非対応端末装置に対象サブフレームが割り当たり難くなくなることが好ましい。また、対象サブフレームがＣＳＩ−ＲＳを送信するサブフレームでない場合、ＢＬＥＲｉｎｓｔがＢＬＥＲｔａｒｇｅｔより高くなるにしたがい、ＣＳＩ−ＲＳ非対応端末装置に対象サブフレームが割り当たり易くなくなることが好ましい。すなわち、ＢＬＥＲｉｎｓｔがＢＬＥＲｔａｒｇｅｔより高くなるにしたがい、αは０に近づくことが好ましく、βは大きくなり１から離れることが好ましい。
【００９７】
α及びβを（数式３）で表される値とした場合、ＣＳＩ−ＲＳ送信インターバルに対してα及びβは図１０に示す関係を有する。すなわち、ＢＬＥＲｉｎｓｔに応じたαの変化は、グラフ２２１で表される、また、ＢＬＥＲｉｎｓｔに応じたβの変化は、グラフ２２２で表される。そして、グラフ２２１及び２２２から、本実施例に係る重み算出部１５２が算出するα及びβは、上述した関係を満たすといえる。このように、本実施例に係る重み算出部１５２が算出するα及びβにより、ＣＳＩ−ＲＳ非対応端末装置のスケジューリング係数には適切な重みが与えられる。
【００９８】
以上に説明したように、本実施例に係る基地局装置はＣＳＩ−ＲＳ非対応端末装置の受信品質に応じてＣＳＩ−ＲＳ非対応端末装置のスケジューリング係数を変更し、無線リソースを割り当てる端末装置を決定する。これにより、ＣＳＩ−ＲＳ非端末装置に対するＣＳＩ−ＲＳを送信するサブフレームの無線リソースの割り当てを抑制することができ、ＣＳＩ−ＲＳ非端末装置の通信品質の劣化を軽減することができる。さらに、無線通信におけるスループットを向上させることができる。
【００９９】
ここで、以上の各実施例で、対象サブフレームがＣＳＩ−ＲＳを送信するサブフレームの場合とＣＳＩ−ＲＳを送信しないサブフレームの場合におけるＣＳＩ−ＲＳ非対応端末装置に対する重み係数であるα及びβの算出方法についていくつか説明した。ただし、α及びβの算出方法はこれに限らず、他の方法を用いてもよい。例えば、コンピュータシミュレーションなどを用いてα及びβのテーブルを作成し、そのテーブルを用いてα及びβを求めてもよい。また、例えば、対象サブフレームがＣＳＩ−ＲＳを送信するサブフレームの場合、ＣＳＩ−ＲＳ非対応端末装置には無線リソースを割り当てないとしてもよい。
【０１００】
（ハードウェア構成）
次に、図１１を参照して、各実施例に係る基地局装置１のハードウェア構成を説明する。図１１は、基地局装置のハードウェア構成図である。
【０１０１】
基地局装置１は、図１１に示すように、メモリ９１、ＣＰＵ（Central  Processing  Unit）９２、ＤＳＰ（Digital  Signal  Processor）９３〜９５、アクセラレータ９６、アンプ７、ネットワークインタフェース９８及びアンテナ１６を有する。
【０１０２】
ＣＰＵ９２、ＤＳＰ９３〜９５、メモリ９１、アクセラレータ９６及びネットワークインタフェース９８は、バスにより相互に接続される。また、アクセラレータ９６は、アンプ９７に接続される。アンプ９７は、アンテナ１６に接続される。
【０１０３】
ネットワークインタフェース９８は、図２に例示したネットワークＩＦ部１３の機能を実現する。
【０１０４】
メモリ９１は、図１に例示した無線処理部１１、ベースバンド処理部１２、呼制御部１４及びリソーススケジューラ１５を実現するためのプログラムを含む各種プログラムを有する。
【０１０５】
ＣＰＵ９２は、メモリ９１から各種プログラムを読み出して展開し実行することで、図１に例示した呼制御部１４及びリソーススケジューラ１５の機能を実現する。
【０１０６】
ＤＳＰ９４は、メモリ９１から各種プログラムを読み出して展開して実行することで、図１に例示したＭＡＣ多重ＨＡＲＱ部１２２及びＭＡＣ分離部１２５の機能を実現する。
【０１０７】
ＤＳＰ９３は、メモリ９１から各種プログラムを読み出して展開して実行することで、図１に例示した符号化部１２１及び復号化部１２４の機能を実現する。
【０１０８】
ＤＳＰ９５は、メモリ９１から各種プログラムを読み出して展開して実行することで、図１に例示した変調部１１３、復調部１１４及びプリコーディング部１１２の機能を実現する。ＤＳＰ９５は、アクセラレータであってもよい。
【０１０９】
アクセラレータ９６は、メモリ９１から各種プログラムを読み出して展開して実行することで、ＩＦＦＴの実行や、図１に例示したリソースマッピング部１１１の機能を実現する。アクセラレータ９６から出力された信号は、アンプ９７により増幅され、アンテナ１６を介して端末装置３へ送信される。
【符号の説明】
【０１１０】
１，２  基地局装置
３，４  端末装置
５  コアネットワーク
１０  無線通信システム
１１  無線処理部
１２  ベースバンド処理部
１３  ネットワークＩＦ部
１４  呼制御部
１５  リソーススケジューラ
１６  アンテナ
１１１  リソースマッピング部
１１２  プリコーディング部
１１３  変調部
１１４  復調部
１２１  符号化部
１２２  ＭＡＣ多重ＨＡＲＱ部
１２３  ＲＬＣバッファ
１２４  復号化部
１２５  ＭＡＣ分離部
１５１  リソース割当部
１５２  重み算出部
１５３  係数算出部
【図１】
2018011189.tif 000006
【図２】
2018011189.tif 000007
【図３】
2018011189.tif 000008
【図４】
2018011189.tif 000009
【図５】
2018011189.tif 000010
【図６】
2018011189.tif 000011
【図７】
2018011189.tif 000012
【図８】
2018011189.tif 000013
【図９】
2018011189.tif 000014
【図１０】
2018011189.tif 000015
【図１１】
2018011189.tif 000016